(57)【要約】【課題】点鼻薬を収納する容器体の形状や、容器体とディスペンサーとの噴出器全体の縦幅等に制限を受けることがなく、しかも取り扱い容易であり、快適な操作が可能な点鼻薬噴出器を提案する。【解決手段】点鼻薬を収容した容器体Ａと、上方付勢状態で押し下げ可能に設けたステム30の上端に嵌着したノズル部材31を押し下げることで収容点鼻薬をノズル35先端の噴出口37より噴出する噴出機構を備えたディスペンサーＢとを備え、ノズル部材31外面の対向位置に一対の摺動突部38を突設するとともに、各摺動突部38が摺動する摺動押圧面ｓを内側に備えた一対の押圧腕40をノズル35両側に揺動可能に立設している。そして、各押圧腕40をノズル35側へ傾倒させることで、各摺動突部38を各摺動押圧面ｓに摺動下降させてノズル35が押し下げられる如く構成した。【選択図】図１
2010075874.tif 000002
【特許請求の範囲】
【請求項１】
点鼻薬を収容した容器体Ａと、容器体Ａの口頚部11に嵌合した装着キャップB1により容器体Ａに装着するとともに、上方付勢状態で押し下げ可能に設けたステム30の上端に嵌着したノズル部材31を押し下げることで収容点鼻薬をノズル35先端の噴出口37より噴出する噴出機構を備えたディスペンサーＢとを備え、ノズル部材31外面の対向位置に一対の摺動突部38を突設するとともに、各摺動突部38が摺動する摺動押圧面ｓを内側に備えた一対の押圧腕40をノズル部材31両側に揺動可能に立設し、且つ、各押圧腕40をノズル35側へ傾倒させることで、各摺動突部38を各摺動押圧面ｓに摺動下降させてノズル35が押し下げられる如く構成したことを特徴とする点鼻薬噴出器。
【請求項２】
ノズル35下部外周より延設したフランジ状の頂板部33の外縁部を摺動突部38として構成した請求項１記載の点鼻薬噴出器。
【請求項３】
各押圧腕40が、装着キャップB1外周の対向位置より外方へ突設した支持板部40a と、支持板部40a の外縁より内外方向の弾性揺動が可能に立設するとともに、内面に摺動押圧面ｓを備えた起立板部40b と、起立板部40b の上面に延設するとともに、外方へ傾斜下降する押圧板部40c とで構成した請求項１又は請求項２のいずれかに記載の点鼻薬噴出器。
【請求項４】
各押圧腕40を、装着キャップB1外周に嵌合させた嵌合筒部50の下部より上記支持板部40a を突設して、装着キャップB1と別体に形成した請求項３記載の点鼻薬噴出器。
【発明の詳細な説明】
【技術分野】
【０００１】
本発明は点鼻薬噴出器に関する。
【背景技術】
【０００２】
点鼻薬噴出器とし、ポンプを装着した取付キャップと、ポンプのステムに取着されたノズル部材とからなるものが提案されている。（例えば、特許文献１参照）
【０００３】
上記従来の点鼻薬噴出器はノズル部材の押し下げによりステムを押し下げてポンプ機構により容器体内の点鼻薬をノズル噴出孔より噴出する如く構成している。その際、点鼻薬を収納する容器体の中心線上にノズルが起立しているため、ノズル部材の外周下部に突設したフランジ状の基板上面を押圧することでステムを押し下げる構造となっている。
【特許文献１】特開２００４−０００８４４号公報
【発明の開示】
【発明が解決しようとする課題】
【０００４】
上記特許文献１の点鼻薬噴出器は、上記した如く、ノズルの脇に指を掛けて下方向へ押して使用するため下方向に押し荷重が加わり、容器体の外周もしくは容器体の底部を確実に保持しなければならず、容器体の形状、或いは容器体及びディスペンサーとの丈幅に著しく制限を受けるという不都合があった。また、人指し指と中指でノズル部材を作動させるため、それ以外で容器体を保持するのが非常に不安定であった。
【０００５】
本発明は上記した点に鑑みてなされたもので、点鼻薬を収容する容器体の形状や、容器体とディスペンサーとの噴出器全体の縦幅等に制限を受けることがなく、しかも取り扱い容易であり、快適な操作が可能な点鼻薬噴出器を提案する。
【課題を解決するための手段】
【０００６】
第１の手段として、以下の通り構成した。即ち、点鼻薬を収容した容器体Ａと、容器体Ａの口頚部11に嵌合した装着キャップB1により容器体Ａに装着するとともに、上方付勢状態で押し下げ可能に設けたステム30の上端に嵌着したノズル部材31を押し下げることで収容点鼻薬をノズル35先端の噴出口37より噴出する噴出機構を備えたディスペンサーＢとを備え、ノズル部材31外面の対向位置に一対の摺動突部38を突設するとともに、各摺動突部38が摺動する摺動押圧面ｓを内側に備えた一対の押圧腕40をノズル部材31両側に揺動可能に立設し、且つ、各押圧腕40をノズル35側へ傾倒させることで、各摺動突部38を各摺動押圧面ｓに摺動下降させてノズル35が押し下げられる如く構成した。
【０００７】
第２の手段として、以下の通り構成した。即ち、前記第１の手段に於いて、ノズル35下部外周より延設したフランジ状の頂板部33の外縁部を摺動突部38として構成した。
【０００８】
第３の手段として、以下の通り構成した。即ち、前記第１の手段又は第２の手段のいずれかの手段に於いて、各押圧腕40が、装着キャップB1外周の対向位置より外方へ突設した支持板部40a と、支持板部40a の外縁より内外方向の弾性揺動が可能に立設するとともに、内面に摺動押圧面ｓを備えた起立板部40b と、起立板部40b の上面に延設するとともに、外方へ傾斜下降する押圧板部40c とで構成した。
【０００９】
第４の手段として、以下の通り構成した。即ち、前記第３の手段に於いて、各押圧腕40を、装着キャップB1外周に嵌合させた嵌合筒部50の下部より上記支持板部40a を突設して、装着キャップB1と別体に形成した。
【発明の効果】
【００１０】
本発明の点鼻薬噴出器は、ノズル部材31外面の対向位置に一対の摺動突部38を突設するとともに、各摺動突部38が摺動する摺動押圧面ｓを内側に備えた一対の押圧腕40をノズル部材31両側に揺動可能に立設しており、各押圧腕40をノズル35側へ傾倒させることで、各摺動突部38を各摺動押圧面ｓに摺動下降させてノズル35が押し下げられる如く構成しているため、点鼻薬の噴出の際に容器体Ａに上下方向の押し荷重がかからず、容器体Ａを小さな力で保持することができる。その結果、例えば、中指，薬指，小指，手のひらで容器体の周囲を保持することができ、各押圧腕40の押圧は親指と人指し指とで安定的に違和感なく行うことができる。更に、中指，薬指，小指，手のひらで容器体保持を行えるため、噴出操作を周囲の視線から隠して行うことが容易にできるという利点もある。
【００１１】
ノズル35下部外周より延設したフランジ状の頂板部33の外縁部を摺動突部38として構成した場合には、頂板部33の外縁部のどの位置であっても摺動突部38になり得るため、ステム30が使用中等に回転してしまうことがあっても、摺動突部38が摺動押圧面ｓから外れることがなく、また、組み付けの際にも、摺動突部38と摺動押圧面ｓとを位置合わせする必要がなく、組み付け作業の簡便化を図れる。
【００１２】
各押圧腕40が、装着キャップB1外周下部の対向位置より外方へ突設した支持板部40a と、支持板部40a の外縁より内外方向の弾性揺動が可能に立設するとともに、内面に摺動押圧面ｓを備えた起立板部40b と、起立板部40b の上面に延設するとともに、外方へ傾斜下降する押圧板部40c とで構成した場合には、各押圧腕40の押圧を解除すれば、それぞれ起立板部40b が自動的に元の状態に戻り、その結果、ノズル35が元の状態に戻るのを各押圧腕40が妨げることがなく円滑にノズル35が上昇し、牽いては作動部材B4を円滑に元の状態に戻すことが可能である。
【００１３】
各押圧腕40を、装着キャップB1外周に嵌合させた嵌合筒部50の下部より上記支持板部40a を突設して、装着キャップB1と別体に形成した場合には、容器体Ａの形態等により必要に応じて押圧腕40の装着、非装着を選択することができる利点がある。
【発明を実施するための最良の形態】
【００１４】
以下、本発明の実施例の形態を図面を参照して説明する。
【００１５】
図１乃至図３は本発明の点鼻薬噴出器の一例を示し、点鼻薬噴出器１は、容器体Ａと、ディスペンサーＢと、オーバーキャップＣとを備えている。
【００１６】
容器体Ａは、筒状胴部10の上端より小径の口頚部11を起立したボトルタイプのもので、合成樹脂により形成されている。胴部10の外周上部には上向き段部12を介して小径の嵌合部を周設しており、口頚部11外周には螺条を周設している。
【００１７】
ディスペンサーＢは、装着キャップB1と、シリンダB2と、パイプB3と、作動部材B4とを備えている。
【００１８】
装着キャップB1は、口頚部11外周に螺着させた周壁20の上端縁より頂壁21を延設し、頂壁21の中央には作動部材B4を上下動可能に貫通させるための窓孔22を備え、窓孔22周縁部の頂壁21部分はシリンダB2を嵌着させる二重筒状の隆起部21a に形成しており、隆起部21a 上面からは内側ガイド筒24を立設している。また、頂壁21の周縁部からは外側ガイド筒25を立設している。また、更に、頂壁21の裏面と口頚部11上面との間にパッキンｐを介在させてこの部分の液密性を図っている。
【００１９】
シリンダB2は、上端を隆起部21a 間に嵌着させて装着キャップB1に固定しており、下端部を容器体Ａ内上部に垂設している。また、内部底部には吸込み弁（図示せず）を備え、外周下端にはパイプB3の上端を嵌着して、その下端を容器体Ａ内底部に垂下している。
【００２０】
作動部材B4は、シリンダB2内を摺動するピストン（図示せず）を下端に連携させたステム30を備え、ステム30の上端にノズル部材31を嵌着固定している。また、シリンダB2内に装着したコイルスプリング（図示せず）により常時上方に付勢し、押し下げ可能に装着されている。
【００２１】
ノズル部材31は、本体部31a と、カバー部31b と、スピンチップ31c とで構成している。本体部31a は、ステム30の上端外周に嵌着した嵌合筒32を頂板部33裏面より垂設し、頂板部33の外周より外側ガイド筒25の外周位置に垂壁部34を垂設している。また、頂板部33の上方に嵌合筒32内と連通し、牽いてはステム30内と連通するノズル35を構成するノズル基筒部36を立設している。カバー部31b は、先端にスピンチップ31c を嵌着してノズル基筒部36外周に嵌着した筒状をなし、ノズル基筒部36と、スピンチップ31c とでノズル35を構成している。そして、ステム30内より噴出する液を先端の噴出口37より霧状に噴出する如く構成している。
【００２２】
また、本体部31a の頂板部33は内側をドーム状に隆起させたフランジ状をなし、両側に於ける頂板部33の外縁部の上部コーナー部分をそれぞれ摺動突部38として構成している。
【００２３】
本発明では、ノズル35を押し下げるための一対の押圧腕40を設けている。押圧腕40は、装着キャップ周壁20の両側で、その外面下部より一体に外方へ突設した支持板部40a の外側縁からそれぞれ上方へ起立板部40b を立設し、起立板部40b の上面に、内方から外方へ下る傾斜状の押圧板部40c を備えている。また、起立板部40b の内面上部に上方から下方に行くに従って順次外方へ広がる傾斜状の摺動押圧面ｓに形成しており、摺動押圧面ｓをノズル部材31の摺動突部38に当接している。
【００２４】
上記の如く構成した点鼻薬噴出器１を使用する際は、図１の状態からオーバーキャップＣを外し、例えば、容器体Ａの胴部10を中指，薬指，小指，手のひらでつかみ、親指と人指し指をそれぞれ押圧腕40の押圧板部40c 外面に当接して押圧することで、図３に示す如く、各摺動押圧面ｓが各摺動突部38をそれぞれ摺動下降させて作動部材B4を押し下げ、容器体Ａ内の点鼻薬をノズル35の噴出口37より噴出する。各押圧腕40の押圧を解除すれば、弾性復元力により各押圧腕40は元の状態に戻り、それに伴って作動部材B4の上方付勢力により作動部材B4が上昇してもとの状態に戻る。
【００２５】
図４乃至図６は他の例を示し、図１の例に於いて、容器体Ａの内部構造が相違する例を示す。容器体Ａは胴部10の底壁部10a を着脱可能に別体に形成するとともに、内部に可動底壁13を備えている。また、シリンダB2の下端のパイプがなく、また、口頚部11内への液の進入を防止する進入防止弁14を備えている。その他の構成は図１の例と同様であるため、同符号を付して説明を省略する。
【００２６】
図７は更に他の例を示し、図１の例に於いて、押圧腕40を装着キャップB1と別体に形成した例を示す。この場合には、装着キャップB1外周に押圧腕部材Ｄを嵌着して構成している。押圧腕部材Ｄは、装着キャップ周壁20の外周に嵌合させた嵌合筒部50を備え、嵌合筒部50より図４の例と同様の支持板部40a ，起立板部40b 、押圧板部40c を延設して構成している。嵌合筒部50は、その内周下部に周設した係合溝51に装着キャップの外周下部より突設した係合突条26を係合させて抜け出しの防止を図っている。また、押圧腕部材Ｄは、容器体Ａに装着キャップB1、作動部材B4を装着した後、ノズル部材31の上方から装着することができる如く構成している。尚、この様な押圧腕40は図６の例の場合にも採用することができる。
【図面の簡単な説明】
【００２７】
【図１】点鼻薬噴出器の半断面図である。（実施例１）
【図２】点鼻薬噴出器の平面図である。（実施例１）
【図３】点鼻薬噴出器の作用を説明する半断面図である。（実施例１）
【図４】点鼻薬噴出器の半断面図である。（実施例２）
【図５】点鼻薬噴出器の平面図である。（実施例２）
【図６】点鼻薬噴出器の作用を説明する半断面図である。（実施例２）
【図７】点鼻薬噴出器の要部半断面図である。（実施例３）
【符号の説明】
【００２８】
１…点鼻薬噴出器
Ａ…容器体
10…胴部，10a …底板部，11…口頸部，12…上向き段部，13…可動底壁，
14…進入防止弁
Ｂ…ディスペンサー
B1…装着キャップ
20…周壁，21…頂壁，21a …隆起部，22…窓孔，24…内側ガイド筒，
25…外側ガイド筒，26…係合突条，40…押圧腕，40a …支持板部，
40b …起立板部，40c …押圧板部，ｓ…摺動押圧面
B2…シリンダ
B3…パイプ
B4…作動部材
30…ステム，31…ノズル部材，31a …本体部，31b …カバー部，
31c …スピンチップ，32…嵌合筒，33…頂板部，34…垂壁部，35…ノズル，
36…ノズル基筒部，37…噴出口，38…摺動突部
Ｃ…オーバーキャップ
Ｄ…押圧腕部材
50…嵌合筒部，51…係合溝
【図１】
2010075874.tif 000003
【図２】
2010075874.tif 000004
【図３】
2010075874.tif 000005
【図４】
2010075874.tif 000006
【図５】
2010075874.tif 000007
【図６】
2010075874.tif 000008
【図７】
2010075874.tif 000009